(57)【要約】【課題】方立の室内側部分の見付け寸法を小さくできるとともに、施工現場でなく製造現場などで横つなぎ材を予め設置できるユニット建具を提供すること。【解決手段】ユニット建具１は、左右の方立５Ａ，５Ｂと、方立５Ａ，５Ｂに取り付けられる横材と、方立５Ａ，５Ｂ間に配置されるパネル７とを備える。方立５Ａ，５Ｂは、パネル７を受けるパネル受け部５０Ａ，６０Ａと、パネル受け部５０Ａ，６０Ａよりも室内側に位置する室内見込み片部５０Ｂ，６０Ｂとをそれぞれ有する。室内見込み片部５０Ｂ，６０Ｂ間には、ビスホールが形成された横つなぎ材７０が配置される。横つなぎ材７０は、室内見込み片部５０Ｂ，６０Ｂ側からビスホールにねじ込まれる固定ねじ１５によって室内見込み片部５０Ｂ，６０Ｂ間に固定される。【選択図】図３
2017155542.tif 000002
【特許請求の範囲】
【請求項１】
左右の方立と、前記左右の方立に取り付けられる横材と、前記左右の方立間に配置されるパネルとを備え、
前記左右の方立は、前記パネルを受けるパネル受け部と、前記パネル受け部よりも室内側に位置する室内見込み片部とをそれぞれ有し、
前記左右の方立間には、螺合穴が形成された横つなぎ材が配置され、
前記横つなぎ材は、前記室内見込み片部側から前記螺合穴にねじ込まれる螺合部材によって前記左右の方立の前記室内見込み片部間に固定される
ことを特徴とするユニット建具。
【請求項２】
請求項１に記載のユニット建具において、
前記パネル受け部よりも室内側部分における前記方立の見付け寸法は、前記パネル受け部の見付け寸法よりも小さく設定される
ことを特徴とするユニット建具。
【請求項３】
請求項１または請求項２に記載のユニット建具において、
前記左右の方立のうちの一方は、分割方立を構成する第一方立部材および第二方立部材のうちの一方を備え、
前記左右の方立のうちの他方は、前記第一方立部材および前記第二方立部材のうちの他方を備え、
前記横つなぎ材の一方の端部は、前記螺合部材によって前記第一方立部材の室内見込み片部に固定され、
前記横つなぎ材の他方の端部は、前記螺合部材によって前記第二方立部材の室内見込み片部に固定される
ことを特徴とするユニット建具。
【請求項４】
請求項３に記載のユニット建具において、
前記第一方立部材および前記第二方立部材のうちのいずれか一方の室内見込み片部に沿って補強材が取り付けられる
ことを特徴とするユニット建具。
【請求項５】
請求項１から請求項４のいずれか一項に記載のユニット建具において、
前記左右の方立および前記横つなぎ材は、それぞれアルミ製の押出形材によって形成される
ことを特徴とするユニット建具。
【発明の詳細な説明】
【技術分野】
【０００１】
本発明は、左右の方立が横つなぎ材によってつながれて補強されるユニット建具に関する。
【背景技術】
【０００２】
従来、カーテンウォールとして、複数本の方立を左右方向に間隔をおいて立設し、方立の上端部、下端部および中間部に無目を架設し、方立および無目によって形成される枠内にガラスパネルを配置したものが知られている（特許文献１参照）。複数本の方立は、ガラスパネルを保持するアルミ方立と、アルミ方立よりも室内側に配置されるスチール方立とによってそれぞれ構成されている。各スチール方立には貫通孔が形成されており、当該貫通孔に補強用の補鋼材が設けられている。
【０００３】
前述した補鋼材は、方立の貫通孔内に挿入されるインサートナットおよびインサートボルトと、インサートナットに螺合するロッドと、インサートボルトに螺合するロッドとを備える。インサートナットは方立の貫通孔内に右側から挿入され、インサートボルトは、方立の貫通孔内に左側から挿入されてインサートナットに螺合する。インサートナットとインサートボルトとが互いに螺合すると、インサートナットの大径部とインサートボルトの大径部は方立を挟持した状態となる。この補鋼材は、各ロッドがインサートナットおよびインサートボルトによって継がれることで、方立を貫通して左右方向に連続して延びている。複数本の方立は、補鋼材によって相互につながれて補強されている。
【先行技術文献】
【特許文献】
【０００４】
【特許文献１】特許第４２５９４４２号公報
【発明の概要】
【発明が解決しようとする課題】
【０００５】
ところで、特許文献１に記載のカーテンウォールでは、アルミ方立よりも室内側に位置するスチール方立の見付け寸法は、方立の横つなぎ材である補鋼材のインサートナットおよびインサートボルトが互いに螺合して貫通孔に配置できるだけの見付け寸法とされる必要がある。このため、方立の室内側部分であるスチール方立の見付け寸法を小さくすることが困難である。
また、補鋼材の複数のロッドがインサートナットおよびインサートボルトによって結合されるため、カーテンウォールの施工現場ではなく製造現場などで補鋼材を予め設置することが困難である。
【０００６】
本発明の目的は、方立の室内側部分の見付け寸法を小さくできるとともに、施工現場でなく製造現場などで横つなぎ材を予め設置できるユニット建具を提供することにある。
【課題を解決するための手段】
【０００７】
本発明のユニット建具は、左右の方立と、前記左右の方立に取り付けられる横材と、前記左右の方立間に配置されるパネルとを備え、前記左右の方立は、前記パネルを受けるパネル受け部と、前記パネル受け部よりも室内側に位置する室内見込み片部とをそれぞれ有し、前記左右の方立間には、螺合穴が形成された横つなぎ材が配置され、前記横つなぎ材は、前記室内見込み片部側から前記螺合穴にねじ込まれる螺合部材によって前記左右の方立の前記室内見込み片部間に固定されることを特徴とする。
【０００８】
本発明のユニット建具によれば、横つなぎ材を左右の方立の室内見込み片部間に配置して固定することで、左右の方立の室内側部分をつなげて補強できる。
また、螺合部材を各方立の室内見込み片部側から横つなぎ材の螺合穴にねじ込むことによって横つなぎ材を室内見込み片部に固定するので、横つなぎ材と螺合部材との螺合部分を方立側ではなく横つなぎ材側に配置できる。このため、方立の見付け寸法を前記螺合部分がない分だけ小さく設定できる。
さらに、横つなぎ材を固定ねじによって各方立の室内見込み片部に固定することで、左右の方立、横材、パネルおよび横つなぎ材をユニット化でき、施工現場でなく製造現場などで横つなぎ材を予め設置できる。
【０００９】
本発明のユニット建具では、前記パネル受け部よりも室内側部分における前記方立の見付け寸法は、前記パネル受け部の見付け寸法よりも小さく設定されることが好ましい。
このような構成によれば、方立の室内側部分の見付け寸法をパネル受け部の見付け寸法よりも小さく設定することで、室内側において方立をスリム化できる。また、このように方立をスリム化する場合には、方立の室内側部分の強度が低くなるが、横つなぎ材によって左右の方立をつなげることで強度を高めることができる。
【００１０】
本発明のユニット建具では、前記左右の方立のうちの一方は、分割方立を構成する第一方立部材および第二方立部材のうちの一方を備え、前記左右の方立のうちの他方は、前記第一方立部材および前記第二方立部材のうちの他方を備え、前記横つなぎ材の一方の端部は、前記螺合部材によって前記第一方立部材の室内見込み片部に固定され、前記横つなぎ材の他方の端部は、前記螺合部材によって前記第二方立部材の室内見込み片部に固定されることが好ましい。
このような構成によれば、第一方立部材の室内見込み片部側から横つなぎ材の一方の端部に螺合部材をねじ込む作業を簡単に行うことができ、第二方立部材の室内見込み片部側から横つなぎ材の他方の端部に螺合部材をねじ込む作業を簡単に行うことができる。また、施工現場において複数のユニット建具を左右に並設する場合に、隣接する第一方立部材および第二方立部材同士を組み合わせて分割方立を構成でき、しかも、螺合部材が外部に露出することをなくして外観意匠を向上し得る。
【００１１】
本発明のユニット建具では、前記第一方立部材および前記第二方立部材のうちのいずれか一方の室内見込み片部に沿って補強材が取り付けられることが好ましい。
このような構成によれば、複数のユニット建具を左右に並べる際に隣接する第一方立部材と第二方立部材とを組み合わせて分割方立を構成することで、各分割方立が補強材によって補強される。このように、第一方立部材および第二方立部材のうちのいずれか一方に補強材が取り付けられていれば各分割方立を補強でき、第一方立部材および第二方立部材の双方に補強材を取り付ける必要がなく、コスト削減できる。
【００１２】
本発明のユニット建具では、左右の方立および前記横つなぎ材は、それぞれアルミ製の押出形材によって形成されることが好ましい。
このような構成によれば、左右の方立と横つなぎ材とを同一材料で形成することで色合いや質感などの外観を統一できる。
【発明の効果】
【００１３】
本発明によれば、方立の室内側部分の見付け寸法を小さくできるとともに、施工現場でなく製造現場などで横つなぎ材を予め設置できるユニット建具を提供できる。
【図面の簡単な説明】
【００１４】
【図１】本発明の第１実施形態に係るユニット建具を示す外観姿図。
【図２】前記第１実施形態に係るユニット建具を示す縦断面図。
【図３】前記第１実施形態に係るユニット建具を示す横断面図。
【図４】本発明の第２実施形態に係るユニット建具を示す縦断面図。
【図５】前記第２実施形態に係るユニット建具を示す横断面図。
【発明を実施するための形態】
【００１５】
［第１実施形態］
以下、本発明の第１実施形態を図面に基づいて説明する。
図１〜３において、第１実施形態に係るユニット建具１は、建物外壁面に沿って配置されてエントランスを構成するものである。ユニット建具１は、上枠２と、下枠３と、無目４と、方立５（５Ａ，５Ｂ）と、パネル７（７Ａ，７Ｂ）とを備えている。
【００１６】
横材である上枠２、下枠３および無目４は、アルミ押出形材によってそれぞれ形成されている。無目４は、図２に示すように、上下方向において上枠２および下枠３間に配置されている。
パネル７Ａは、上枠２、無目４および左右の方立５Ａ，５Ｂによって形成される上側開口に固定されている。パネル７Ｂは、下枠３、無目４および左右の方立５Ａ，５Ｂによって形成される下側開口に固定されている。本実施形態では、パネル７は、複層のガラスパネルによって形成されているが、単層のガラスパネルであってもよい。
【００１７】
［方立］
図３において右側に示す方立５Ａは、第一方立部材５０を備えており、隣接する第二方立部材６０と組み合わされて分割方立を構成する。図３において左側に示す方立５Ｂは、第二方立部材６０を備えており、隣接する第一方立部材５０と組み合わされて分割方立を構成する。第一方立部材５０および第二方立部材６０は、アルミ押出形材によって形成されている。
【００１８】
［第一方立部材］
第一方立部材５０は、図３に示すように、見込み片部５１と、見込み片部５１の室外端部に連続する室外見付け片部５２と、見込み片部５１の室内端部に連続する室内見付け片部５３とを有している。室外見付け片部５２は見込み片部５１に対して第一方立部材５０の見付け方向内側に突出している。室内見付け片部５３は見込み片部５１に対して第一方立部材５０の見付け方向外側に突出している。
【００１９】
見込み片部５１には、パネル７の室内面と対向して配置される対向部５４が形成されている。対向部５４は、断面略コ字形状に形成されており、パネル７の室内面側の対向片部５４１には、パネル７の室内面に当接するバックアップ材１１およびシール材１２が設けられている。
【００２０】
見込み片部５１のうち室外見付け片部５２および対向部５４間に位置する部分には、押縁１３が係合する係合溝を室外見付け片部５２との間に形成する突部５５が設けられている。押縁１３には、パネル７の室外面に当接するバックアップ材１１およびシール材１２が設けられている。
【００２１】
また、見込み片部５１には、第一方立部材５０の見付け方向外側に突出した係合部５６，５７，５８Ａ，５８Ｂと、補強材であるスチール鋼板１４を保持する断面Ｌ字形状の保持部５９Ａ，５９Ｂとを有している。係合部５６，５７，５８Ａ，５８Ｂは、室外側から室内側に向かう順に配置されている。係合部５７は取付ねじによって隣接する第二方立部材６０が取り付けられる。保持部５９Ａ，５９Ｂは、係合部５８Ａ，５８Ｂ間に配置されている。
【００２２】
本実施形態では、第一方立部材５０の対向部５４から室外側部分によってパネル７を受けるパネル受け部５０Ａが構成されており、対向部５４よりも室内側に位置する見込み片部５１の部分によって室内見込み片部５０Ｂが構成されている。
【００２３】
［第二方立部材］
第二方立部材６０は、図３に示すように、見込み片部６１と、見込み片部６１の室外端部に連続する室外見付け片部６２とを有している。室外見付け片部６２は見込み片部６１に対して第二方立部材６０の見付け方向内側に突出している。
【００２４】
見込み片部６１には、パネル７の室内面と対向して配置される対向部６４が形成されている。対向部６４は、断面略コ字形状に形成されており、パネル７の室内面側の対向片部６４１には、パネル７の室内面に当接するバックアップ材１１およびシール材１２が設けられている。
【００２５】
見込み片部６１のうち室外見付け片部６２および対向部６４間に位置する部分には、押縁１３が係合する係合溝を室外見付け片部６２との間に形成する突部６５が設けられている。押縁１３には、パネル７の室外面に当接するバックアップ材１１およびシール材１２が設けられている。
【００２６】
また、見込み片部６１には、第二方立部材６０の見付け方向外側に突出した係合部６６，６７，６８Ａ，６８Ｂを有している。係合部６６，６７，６８Ａ，６８Ｂは、室外側から室内側に向かう順に配置されており、隣接する第一方立部材５０の係合部５６，５７，５８Ａ，５８Ｂにそれぞれ係合する。
【００２７】
本実施形態では、第二方立部材６０の対向部６４から室外側部分によってパネル７を受けるパネル受け部６０Ａが構成されており、対向部６４よりも室内側に位置する見込み片部６１の部分によって室内見込み片部６０Ｂが構成されている。
【００２８】
［横つなぎ材］
左右の方立５Ａ，５Ｂの室内見込み片部５０Ｂ，６０Ｂ間には、横つなぎ材７０が図３に示すように左右方向に延びて配置されている。横つなぎ材７０は、第１実施形態では丸パイプとして構成されており、アルミ製の押出形材によって中空円筒状に形成されている。横つなぎ材７０は、図２に示すように、上下方向に対向して位置する螺合穴であるビスホール７１を有している。
【００２９】
横つなぎ材７０の一方の端部（図３において右側に示す端部）は、第一方立部材５０の室内見込み片部５０Ｂに当接しており、室内見込み片部５０Ｂからビスホール７１に螺合部材である固定ねじ１５がねじ込まれて当該室内見込み片部５０Ｂに固定されている。
横つなぎ材７０の他方の端部（図３において左側に示す端部）は、第二方立部材６０の室内見込み片部６０Ｂに当接しており、室内見込み片部６０Ｂからビスホール７１に固定ねじ１５がねじ込まれて当該室内見込み片部６０Ｂに固定されている。
このように、横つなぎ材７０の両端部は、固定ねじ１５によって方立５Ａ，５Ｂにつながれている。
【００３０】
横つなぎ材７０の高さ位置は、方立５Ａ，５Ｂの高さ方向における中間高さ位置に設定されている。このため、ユニット建具１が風を受けた際に左右方向の荷重が大きく加わって座屈が生じる可能性がある方立５の中間高さ位置を、横つなぎ材７０によって補強できる。
また、横つなぎ材７０の見込み位置は、方立５Ａ，５Ｂの見込み方向における中間見込み位置に配置されている。このため、ユニット建具１が風を受けた際に左右方向の荷重が大きく加わって座屈が生じる可能性がある方立５の中間見込み位置を、横つなぎ材７０によって補強できる。
さらに、横つなぎ材７０は、方立５の見込み方向において無目４の室内側に配置されている。このように、横つなぎ材７０は、ユニット建具１の室外側から視認されにくい配置とされている。
【００３１】
［第１実施形態の作用］
第１実施形態に係るユニット建具１が風を受けた場合には、方立５Ａ，５Ｂにも左右方向の荷重が加わるが、この荷重を横つなぎ材７０によって受けることができる。このため、左右の方立５Ａ，５Ｂの室内側部分の見付け寸法を、横つなぎ材７０を貫通する結合部品などの制約を受けることなく小さく設定しても、横つなぎ材７０で補強することで方立５Ａ，５Ｂが座屈するおそれを低減している。
また、複数のユニット建具１が左右方向に並設されることで、隣接する第一方立部材５０および第二方立部材６０同士が係合して分割方立を構成し、横つなぎ材７０が左右方向に連続した外観を構成する。前記分割方立におけるパネル受け部５０Ａ，６０Ａよりも室内側部分における見付け寸法は、当該パネル受け部５０Ａ，６０Ａの見付け寸法よりも小さい。また、分割方立では、室外見付け片部５２，６２と係合部５６とによって室外見付け面が構成され、室内見付け片部５３によって室内見付け面が構成される。分割方立の室内見付け面の見付け寸法は、当該分割方立の室外見付け面の見付け寸法よりも小さい。
【００３２】
［第１実施形態の効果］
（１）本実施形態によれば、ユニット建具１は、左右の方立５Ａ，５Ｂと、左右の方立に取り付けられる上枠２、下枠３および無目４と、方立５Ａ，５Ｂ間に配置されるパネル７とを備え、方立５Ａ，５Ｂは、パネル７を受けるパネル受け部５０Ａ，６０Ａと、パネル受け部５０Ａ，６０Ａよりも室内側に位置する室内見込み片部５０Ｂ，６０Ｂとをそれぞれ有し、方立５Ａ，５Ｂ間には、ビスホール７１が形成された横つなぎ材７０が配置され、横つなぎ材７０は、室内見込み片部５０Ｂ側からビスホール７１にねじ込まれる固定ねじ１５によって方立５Ａに固定され、室内見込み片部６０Ｂ側からビスホール７１にねじ込まれる固定ねじ１５によって方立５Ｂに固定されることで、左右の方立５Ａ，５Ｂの室内見込み片部５０Ｂ，６０Ｂ間に固定されることを特徴とする。
上記構成によれば、横つなぎ材７０を室内見込み片部５０Ｂ，６０Ｂ間に配置して固定することで、方立５Ａ，５Ｂの室内側部分をつなげて補強できる。
また、固定ねじ１５を各方立５Ａ、５Ｂの室内見込み片部５０Ｂ，６０Ｂ側から横つなぎ材７０のビスホール７１にねじ込むことによって横つなぎ材７０を室内見込み片部５０Ｂ，６０Ｂに固定するので、横つなぎ材７０と固定ねじ１５との螺合部分を方立５Ａ，５Ｂ側ではなく横つなぎ材７０側に配置できる。このため、方立５Ａ，５Ｂの見付け寸法を前記螺合部分がない分だけ小さく設定できる。
さらに、横つなぎ材７０を固定ねじ１５によって方立５Ａ，５Ｂの室内見込み片部５０Ｂ，６０Ｂに固定することで、左右の方立５Ａ，５Ｂ、上枠２、下枠３、無目４、パネル７および横つなぎ材７０をユニット化でき、施工現場でなく製造現場などで横つなぎ材７０を予め設置できる。
さらに、本実施形態では、以下の各効果を発揮できる。
（２）パネル受け部５０Ａ，６０Ａよりも室内側部分における方立５Ａ，５Ｂの見付け寸法は、パネル受け部５０Ａ，６０Ａの見付け寸法よりも小さく設定される。
このため、室内側において方立５Ａ，５Ｂをスリム化できる。また、このように方立５Ａ，５Ｂをスリム化する場合には、方立５Ａ，５Ｂの室内側部分の強度が低くなるが、横つなぎ材７０によって左右の方立５Ａ，５Ｂをつなげることで強度を高めることができる。
（３）方立５Ａは、分割方立を構成する第一方立部材５０を備え、方立５Ｂは、分割方立を構成する第二方立部材６０を備え、横つなぎ材７０の一方の端部は、固定ねじ１５によって第一方立部材５０の室内見込み片部５０Ｂに固定され、横つなぎ材７０の他方の端部は、固定ねじ１５によって第二方立部材６０の室内見込み片部６０Ｂに固定される。
このため、第一方立部材５０の室内見込み片部５０Ｂ側から横つなぎ材７０の一方の端部に固定ねじ１５をねじ込む作業を簡単に行うことができ、第二方立部材６０の室内見込み片部６０Ｂ側から横つなぎ材７０の他方の端部に固定ねじ１５をねじ込む作業を簡単に行うことができる。また、施工現場において複数のユニット建具１を左右に並設する場合に、隣接する第一方立部材５０および第二方立部材６０同士を組み合わせて分割方立を構成でき、しかも、固定ねじ１５が外部に露出することをなくして外観意匠を向上し得る。
（４）第一方立部材５０の室内見込み片部５０Ｂに沿ってスチール鋼板１４が取り付けられる。このため、複数のユニット建具１を左右に並べる際に隣接する第一方立部材５０と第二方立部材６０とを組み合わせて分割方立を構成することで、各分割方立がスチール鋼板１４によって補強される。このように、第一方立部材５０だけにスチール鋼板１４が取り付けられていれば各分割方立を補強でき、第一方立部材５０および第二方立部材６０の双方にスチール鋼板１４を取り付ける必要がなく、コスト削減できる。
（５）左右の方立５Ａ，５Ｂおよび横つなぎ材７０は、それぞれアルミ製の押出形材によって形成される。このため、左右の方立５Ａ，５Ｂと横つなぎ材７０とを同一材料で形成することで色合いや質感などの外観を統一できる。
（６）製造現場において横つなぎ材７０を方立５に固定できるため、ユニット建具１の耐風圧やサイズに応じて、横つなぎ材７０の本数、形状、高さ位置や見込み位置を予め設定でき、施工現場においてユニット建具１の強度や納まりを検討する手間を省ける。
また、横つなぎ材７０は、アルミ製の押出形材によって形成されるので、この押出形材を切断するだけで適切な長さを有する横つなぎ材７０を構成できる。
【００３３】
［第２実施形態］
以下、本発明の第２実施形態を図面に基づいて説明する。
図４，５において、第２実施形態に係るユニット建具１Ａは、前述したユニット建具１に対し、上側開口に開閉可能なパネルである障子８が配置される点で相違する。
障子８は、上框８１、下框８２および左右の縦框８３，８４を組んだ框内に面材８５を固定して構成されている。面材８５は、複層のガラスパネルによって形成されているが、単層のガラスパネルであってもよい。下框８２はヒンジ８６を介して無目４Ａに連結されている。上枠２Ａは、閉鎖状態にある障子８の上框８１に当接する。
【００３４】
ユニット建具１Ａの方立５Ａ，５Ｂのうち無目４Ａよりも下側部分はユニット建具１の方立５Ａ，５Ｂと同様に構成されているが、無目４Ａよりも上側部分では、室外見付け片部５２，６２の構成は省略されており、対向部５４，６４も断面コ字形状ではなく見付け方向内側に延出した対向片部５４１Ａ，６４１Ａによって構成されている。このように方立５Ａ，５Ｂの上側部分が構成されることで、障子８は開閉移動が可能となり、閉鎖状態では方立５Ａ，５Ｂに当接する。
【００３５】
また、ユニット建具１Ａでは、角パイプによって構成される横つなぎ材７０Ａを備えている。この横つなぎ材７０Ａもビスホール７１を有している。横つなぎ材７０Ａは、室内見込み片部５０Ｂ，６０Ｂ側からビスホール７１に固定ねじ１５がねじ込まれることによって当該室内見込み片部５０Ｂ，６０Ｂに固定されている。横つなぎ材７０Ａの固定構造は、前述した横つなぎ材７０の固定構造と概略同様である。
以上のユニット建具１Ａによっても、ユニット建具１の前述した作用効果と同様の作用効果を発揮できる。
【００３６】
［変形例］
本発明は、以上の実施形態で説明した構成のものに限定されず、本発明の目的を達成できる範囲での変形例は、本発明に含まれる。
例えば、前記実施形態では、方立５Ａ，５Ｂは分割方立を構成する第一方立部材５０、第二方立部材６０を備えているが、分割方立の構成部材ではなく、一つの方立としてそれぞれ構成されていてもよい。
【００３７】
前記実施形態では、スチール鋼板１４は第一方立部材５０に取り付けられているが、これに限られず、第二方立部材６０に取り付けられていてもよい。
【００３８】
前記実施形態では、横つなぎ材７０，７０Ａの高さ位置は、方立５の高さ方向における中間高さ位置とされるが、これに限られず、方立５の中間高さ位置よりも下側の位置であってもよく、また上側の位置であってもよい。
また、前記実施形態では、横つなぎ材７０，７０Ａの見込み位置は、方立５の見込み方向における中間見込み位置とされるが、これに限られず、方立５の中間見込み位置よりも室内側の位置であってもよく、また室外側の位置であってもよい。
【００３９】
前記実施形態では、ユニット建具１，１Ａに対して一つの横つなぎ材７０，７０Ａが設けられているが、これに限られず、ユニット建具１，１Ａの耐風圧やサイズに応じて、複数本の横つなぎ材７０，７０Ａを設けてもよい。
【００４０】
前記実施形態では、エントランスとして構成されるユニット建具１，１Ａを説明したが、このほか、スクリーンフロント、カーテンウォールユニットとして構成されるユニット建具であってもよい。
【符号の説明】
【００４１】
１，１Ａ…ユニット建具、１１…バックアップ材、１２…シール材、１３…押縁、１４…スチール鋼板、１５…固定ねじ（螺合部材）、２，２Ａ…上枠（横材）、３…下枠（横材）、４，４Ａ…無目（横材）、５（５Ａ，５Ｂ）…方立、５０…第一方立部材、５０Ａ，６０Ａ…パネル受け部、５０Ｂ，６０Ｂ…室内見込み片部、５１，６１…見込み片部、５２，６２…室外見付け片部、５３…室内見付け片部、５４，６４…対向部、５４１，５４１Ａ，６４１，６４１Ａ…対向片部、５５，６５…突部、５６，５７，５８Ａ，５８Ｂ，６６，６７，６８Ａ，６８Ｂ…係合部、５９Ａ，５９Ｂ…保持部、６０…第二方立部材、７（７Ａ，７Ｂ）…パネル、７０，７０Ａ…横つなぎ材、７１…ビスホール（螺合穴）、８…障子、８１…上框、８２…下框、８３，８４…縦框、８５…面材、８６…ヒンジ。
【図１】
2017155542.tif 000003
【図２】
2017155542.tif 000004
【図３】
2017155542.tif 000005
【図４】
2017155542.tif 000006
【図５】
2017155542.tif 000007